(57)【要約】【課題】無線テレメータシステム、無線機、及び情報収集方法の提供。【解決手段】メータから取得した計測値を含むデータを送受信する複数の無線機を備え、各無線機は、送信すべきデータを有する無線機を探索するための探索信号を他の無線機から受信した場合であって、他の無線機へ送信すべきデータを有する場合、他の無線機へデータを送信する無線テレメータシステムにおいて、各無線機は、設定された期間内に受信した１又は複数の他の無線機からの探索信号に基づき、１又は複数の他の無線機に係る情報を収集する情報収集部を備えることを特徴とする。【選択図】図４
2018139395.tif 000002
【特許請求の範囲】
【請求項１】
メータから取得した計測値を含むデータを送受信する複数の無線機を備え、各無線機は、送信すべきデータを有する無線機を探索するための探索信号を他の無線機から受信した場合であって、前記他の無線機へ送信すべきデータを有する場合、前記他の無線機へ前記データを送信する無線テレメータシステムにおいて、
各無線機は、
設定された期間内に受信した１又は複数の他の無線機からの探索信号に基づき、前記１又は複数の他の無線機に係る情報を収集する情報収集部
を備えることを特徴とする無線テレメータシステム。
【請求項２】
各無線機は、
前記期間内に受信した探索信号の信号強度を計測する計測部と、
該計測部により計測した信号強度に基づき、自機と前記１又は複数の他の無線機との間の通信環境の適否を判定する判定部と
を備えることを特徴とする請求項１に記載の無線テレメータシステム。
【請求項３】
各無線機は、
前記判定部による判定結果に基づいて、前記データの送信先とすべき一の無線機を選択する選択部と、
選択した前記一の無線機との間で互いに通信相手を認証するための認証処理を実行する認証処理部と、
前記認証処理により認証した前記一の無線機の情報を登録する登録部と
を備え、
自機が送信すべきデータを有する場合であって、前記登録部に登録した前記一の無線機からの探索信号を受信した場合に、前記一の無線機へ前記データを送信する
ことを特徴とする請求項２に記載の無線テレメータシステム。
【請求項４】
各無線機に通信可能に接続される端末装置を更に備え、
前記端末装置は、
前記情報収集部により収集された前記１又は複数の他の無線機に係る情報を、自機が接続された無線機から取得する取得部と、
取得した情報を表示する表示部と、
前記無線機がデータを送信すべき一の送信先に係る選択を受付ける受付部と、
該受付部により受付けた選択に基づき、前記無線機と前記一の送信先との間で互いに通信相手を認証するための認証処理を前記無線機に要求する指示を送信する指示送信部と
を備え、
前記無線機は、
前記指示送信部から送信された指示を受信する受信部と、
受信した指示に基づき、前記一の送信先との間で互いに通信相手を認証するための認証処理を実行する認証処理部と、
前記認証処理により認証した前記一の送信先に係る無線機の情報を登録する登録部と
を備え、
前記無線機は、自機が送信すべきデータを有する場合であって、前記登録部に登録した前記一の送信先に係る無線機からの探索信号を受信した場合に、前記無線機へデータを送信する
ことを特徴とする請求項１又は請求項２に記載の無線テレメータシステム。
【請求項５】
前記端末装置は、
前記表示部に表示する情報に対する条件を受付ける条件受付部
を備え、
前記条件受付部にて受付けた条件に適合する情報を前記表示部に表示する
ことを特徴とする請求項４に記載の無線テレメータシステム。
【請求項６】
前記探索信号は、該探索信号の送信元の無線機を識別する識別子、及び前記メータを運用する事業者コードを含み、
前記情報収集部が収集する情報は、前記探索信号に含まれる前記識別子及び前記事業者コードを含む
ことを特徴とする請求項１から請求項５の何れか１つに記載の無線テレメータシステム。
【請求項７】
メータから取得した計測値を含むデータを送受信する他の無線機と通信可能であり、送信すべきデータを有する無線機を探索するための探索信号を前記他の無線機から受信した場合であって、前記他の無線機へ送信すべきデータを有する場合、前記他の無線機へ前記データを送信する無線機において、
設定された期間内に受信した１又は複数の他の無線機からの探索信号に基づき、前記１又は複数の他の無線機に係る情報を収集する情報収集部
を備えることを特徴とする無線機。
【請求項８】
メータから取得した計測値を含むデータを送受信する複数の無線機を備えた無線テレメータシステムにおける情報収集方法において、
各無線機は、
送信すべきデータを有する無線機を探索するための探索信号を他の無線機から受信し、
設定した期間内に受信した１又は複数の他の無線機からの探索信号に基づき、前記１又は複数の他の無線機に係る情報を収集する
ことを特徴とする情報収集方法。
【発明の詳細な説明】
【技術分野】
【０００１】
本発明は、無線テレメータシステム、無線機、及び情報収集方法に関する。
【背景技術】
【０００２】
ガス、水道、電気等の検針用に開発された無線テレメータシステムが知られている（例えば、特許文献１を参照）。無線テレメータシステムは、センタ側の構成として、ホストコンピュータ、センタ網制御装置等を備え、端末側の構成として、無線親機、無線子機等を備える。センタ側のホストコンピュータと端末側の無線親機との間は、公衆電話網、ＰＨＳ（Personal Handyphone System）網、ＦＯＭＡ（Freedom Of Mobile multimedia Access）網などの広域通信網を介して通信可能に接続される。また、端末側の無線親機と各無線子機との間は、特定周波数帯（例えば９２０ＭＨｚ帯）による狭域無線網を介して通信可能に接続される。
【０００３】
端末側の無線親機及び無線子機により形成される狭域無線網として、例えばカスケード型のネットワーク構成が用いられる。カスケード型のネットワーク構成では、新たな無線子機をネットワーク内に設置する場合、その無線子機と無線親機との間で互いに通信相手を認証させるための認証処理（ペアリング）を実行する。新たに設置された無線子機は、無線親機との間で相互認証が完了し、センタ側への通信経路が開通した場合、センタ側との通信が可能となる。
【０００４】
各無線子機には、各需要家に供給されるガス、水道、電気等の供給物の使用量を計測するメータが接続される。各無線子機は、メータから出力される計測結果（検針値）を取得した場合、取得した検針値を含むデータをペアリング済みの無線親機へ送信する。また、無線親機は、各無線子機から受信した検針値のデータを広域通信網を通じてセンタ側のホストコンピュータへ送信する。
【先行技術文献】
【特許文献】
【０００５】
【特許文献１】特開２００９−１０７９９号公報
【発明の概要】
【発明が解決しようとする課題】
【０００６】
従来の無線テレメータシステムにおいて、無線親機と無線子機との間でペアリングを実行する場合、無線親機及び無線子機の双方において、ペアリングの開始指示を与えるためのスイッチ操作が必要となる。
【０００７】
しかしながら、無線親機は、電波見通しの良い電柱の上部等に設置されていることが多く、物理的にアクセスが困難であるため、作業効率が悪くなるという問題点を有している。また、無線親機及び無線子機の双方でスイッチ操作を行うため、予め定めた相手としかペアリングができず、無線子機の設置場所によっては必ずしも安定した通信環境が得られない場合がある。
【０００８】
本発明は、斯かる事情に鑑みてなされたものであり、追加する無線機側の操作により、より通信環境が良い無線機とのペアリングを可能にする無線テレメータシステム、無線機、及び情報収集方法を提供することを目的とする。
【課題を解決するための手段】
【０００９】
本願の無線テレメータシステムは、メータから取得した計測値を含むデータを送受信する複数の無線機を備え、各無線機は、送信すべきデータを有する無線機を探索するための探索信号を他の無線機から受信した場合であって、前記他の無線機へ送信すべきデータを有する場合、前記他の無線機へ前記データを送信する無線テレメータシステムにおいて、各無線機は、設定された期間内に受信した１又は複数の他の無線機からの探索信号に基づき、前記１又は複数の他の無線機に係る情報を収集する情報収集部を備えることを特徴とする。
【発明の効果】
【００１０】
本願によれば、追加する無線機側の操作により、より通信環境が良い無線機とのペアリングを実行させることができる。
【図面の簡単な説明】
【００１１】
【図１】無線テレメータシステムの全体構成を示すブロック図である。
【図２】実施の形態１に係る無線親機の構成を説明するブロック図である。
【図３】実施の形態１に係る無線子機の構成を説明するブロック図である。
【図４】無線子機をペアリングする際の動作を説明するフローチャートである。
【図５】無線親機が送信するビーコン信号の一例を示す模式図である。
【図６】情報収集モードにて新規設置端末が収集した情報の一例を説明する説明図である。
【図７】端末装置の内部構成を示すブロック図である。
【図８】無線子機をペアリングする際の動作を説明するフローチャートである。
【図９】親機情報の表示例を示す模式図である。
【図１０】詳細情報の表示例を示す模式図である。
【図１１】実施の形態３に係る親機情報の表示例を示す模式図である。
【図１２】フィルタリング画面の一例を示す模式図である。
【図１３】フィルタリング後の親機情報の表示例を示す模式図である。
【発明を実施するための形態】
【００１２】
以下、本発明をその実施の形態を示す図面に基づいて具体的に説明する。
（実施の形態１）
図１は無線テレメータシステムの全体構成を示すブロック図である。本実施の形態に係る無線テレメータシステムは、センタ側の構成として、ホストコンピュータ１１及びセンタ側網制御装置１２を備え、端末側の構成として、無線親機２１Ａ〜２１Ｃ、及び無線子機２２Ａ〜２２Ｃを備える。無線子機２２Ａ〜２２Ｃには、それぞれメータ２３Ａ〜２３Ｃが接続されている。メータ２３Ａ〜２３Ｃは、例えば個人宅などの需要家毎に設置され、ガス、水道、電気などの使用量を計測し、計測結果（検針値）を出力する計測器である。
【００１３】
無線テレメータシステムでは、メータ２３Ａ〜２３Ｃから出力される検針値のデータ、無線子機２２Ａ〜２２Ｃの動作状態を示すデータなど端末側から出力される各種データ等を、通信を利用してセンタ側へ送信すると共に、無線子機２２Ａ〜２２Ｃの動作を制御するための制御指令等を含んだ各種データをセンタ側から端末側へ送信する。
【００１４】
センタ側網制御装置１２と無線親機２１Ａ〜２１Ｃとは、例えばＰＨＳ網、ＦＯＭＡ網などの広域無線網Ｎに接続され、広域無線網Ｎを介して無線通信を行う。なお、本実施の形態では、センタ側網制御装置１２と無線親機２１Ａ〜２１Ｃとが広域無線網Ｎに接続される構成としたが、有線の通信網により接続される構成であってもよい。
【００１５】
センタ側網制御装置１２は、広域無線網Ｎを介した端末側との通信を制御する機能を有する。センタ側網制御装置１２は、ホストコンピュータ１１から端末側へ送信すべきデータが入力された場合、広域無線網Ｎの通信規格に準拠した通信方式にて、端末側へデータを送信する。また、センタ側網制御装置１２は、端末側から送信されたデータを広域無線網Ｎを介して受信した場合、受信したデータをホストコンピュータ１１へ送信するように構成されている。
【００１６】
無線親機２１Ａは、通信相手として相互認証（ペアリング）した無線子機２２Ａ，２２Ａ，…，２２Ａと共に狭域無線網ＮＡを形成し、無線子機２２Ａ，２２Ａ，…，２２Ａとの間で所定の通信方式にて無線通信を行う。無線親機２１Ｂ（２１Ｃ）についても同様であり、それぞれ相互認証（ペアリング）した無線子機２２Ｂ，２２Ｂ，…，２２Ｂ（２２Ｃ，２２Ｃ，…，２２Ｃ）と共に狭域無線網ＮＢ（ＮＣ）を形成し、無線子機２２Ｂ，２２Ｂ，…，２２Ｂ（２２Ｃ，２２Ｃ，…，２２Ｃ）との間で所定の通信方式にて無線通信を行う。
【００１７】
なお、図１には、広域無線網Ｎを介してホスト側に接続される３つの無線親機２１Ａ〜２１Ｃを記載したが、ホスト側に接続される無線親機の数は３つに限定されるものではない。
また、図１の例では、各無線子機２２Ａ（２２Ｂ，２２Ｃ）は、それぞれ無線親機２１Ａ（２１Ｂ，２１Ｃ）に接続される構成としたが、１又は複数の他の無線機を介して無線親機２１Ａ（２１Ｂ，２１Ｃ）に接続される構成であってもよい。すなわち、無線親機２１Ａ（２１Ｂ，２１Ｃ）とメータ２３Ａ（２３Ｂ，２３Ｃ）との間に、無線子機２２Ａ（２２Ｂ，２２Ｃ）を含む複数台の無線機が接続される多段中継のネットワーク構成であってもよい。ここで、無線親機２１Ａ（２１Ｂ，２１Ｃ）と無線子機２２Ａ（２２Ｂ，２２Ｃ）との間で中継を担当する無線機は、中継専用に設置された無線機であってもよく、メータ２３Ａ（２３Ｂ，２３Ｃ）が接続された他の無線子機２２Ａ（２２Ｂ，２２Ｃ）であってもよい。
【００１８】
無線子機２２Ａ（２２Ｂ，２２Ｃ）は、自機に接続されたメータ２３Ａ（２３Ｂ，２３Ｃ）から検針値を取得した場合、自機においてホストコンピュータ１１へ通知すべきイベントが発生した場合等において、検針値のデータ、通知すべき情報を含むデータを無線親機２１Ａ（２１Ｂ，２１Ｃ）へ送信する。また、無線親機２１Ａ（２１Ｂ，２１Ｃ）は、無線子機２２Ａ（２２Ｂ，２２Ｃ）から送信された検針値のデータを受信した場合等において、広域無線網Ｎを介してホストコンピュータ１１と無線通信を行う。
【００１９】
なお、以下の説明において、狭域無線網ＮＡ〜ＮＣを形成する無線親機２１Ａ〜２１Ｃ及び無線子機２２Ａ〜２２Ｃを区別して説明する必要がない場合には、それぞれ無線親機２１及び無線子機２２とも記載する。また、無線子機２２Ａ〜２２Ｃに接続されるメータ２３Ａ〜２３Ｃを区別して説明する必要がない場合には、メータ２３とも記載する。  
【００２０】
図２は実施の形態１に係る無線親機２１の構成を説明するブロック図である。無線親機２１は、制御部２１０、記憶部２１１、広域無線通信部２１２、狭域無線通信部２１３、表示部２１４、操作部２１５、接続部２１６などを備える。無線親機２１が備えるハードウェア各部は、図に示していない電池又は商用電源から供給される電力により動作するように構成されている。
【００２１】
制御部２１０は、例えば、ＣＰＵ（Central Processing Unit）、ＲＯＭ（Read Only memory）などを備え、ＲＯＭに予め格納された制御プログラムをＣＰＵが実行することにより、機器全体を本発明に係る無線機の１つ（他の無線機）として機能させる。また、制御部２１０は、計測開始指示を与えてから計測終了指示を与えるまでの経過時間を計測するタイマ、数をカウントするカウンタ等の機能を備えていてもよい。
【００２２】
記憶部２１１は、例えば、ＥＰＲＯＭ（Erasable Programmable Read Only Memory）などの不揮発性メモリにより構成されており、自機の動作に関する設定情報、自機とペアリングした無線子機２２の識別子等を記憶する。
【００２３】
広域無線通信部２１２は、アンテナ２１２ａを通じて電波を発信または受信することによって、広域無線網Ｎを介した無線通信を行う。無線親機２１は、例えば、無線子機２２から送信される検針値のデータを狭域無線通信部２１３にて受信した場合、電池電圧の低下などのセンタ側へ通知すべきイベントが発生した場合等において、広域無線網Ｎの通信規格に準拠した信号を制御部２１０にて生成し、広域無線通信部２１２のアンテナ２１２ａを駆動して電波を発信させることにより、信号を送信する処理を行う。
【００２４】
また、広域無線通信部２１２は、アンテナ２１２ａにて電波を受信した場合、受信した電波をデコードすることにより広域無線網Ｎの通信規格に準拠した信号を取得する。広域無線通信部２１２は、デコードして得られる信号を制御部２１０へ出力する。制御部２１０は、広域無線通信部２１２から出力された信号を取得した場合、その信号に基づいて各種の制御を行う。
【００２５】
狭域無線通信部２１３は、アンテナ２１３ａを通じて電波を発信または受信することによって、縁組された無線子機２２，２２，…，２２と無線通信を行う。無線親機２１及び無線子機２２間の無線通信として、例えば９２０ＭＨｚ帯の無線通信を用いることができる。
【００２６】
表示部２１４は、ＬＥＤランプ（LED : Light Emitting Diode）、液晶表示パネル等により構成されており、制御部２１０から出力される制御信号に基づいて、設置作業や保守作業を行う作業者等に報知すべき情報を表示する。
【００２７】
操作部２１５は、ディップスイッチ等の各種スイッチ、ボタンにより構成されており、例えば設置作業や保守作業を行う作業者等による各種の設定操作を受付ける。制御部２１０は、操作部２１５から入力される設定内容を基に各種制御を行い、必要に応じて設定内容を記憶部２１１に記憶させる。
【００２８】
接続部２１６は、無線親機２１が取得した情報を表示したり、無線親機２１及び無線子機２２に対する設定を受付けるための端末装置３０（図７を参照）を接続するインタフェースを備える。無線親機２１は、端末装置３０に表示すべき情報を接続部２１６を通じて出力することにより、前記情報を端末装置３０に表示させることができる。また、無線親機２１は、接続部２１６を通じて入力された端末装置３０からの指示に基づき、無線親機２１又は無線親機２１に接続された無線子機２２に対する設定を行うことが可能である。
【００２９】
本実施の形態では、無線親機２１がＮＣＵ（Network Control Unit）の機能を有するものとして説明を行ったが、ＮＣＵの機能を有する網制御装置を個別の装置として用意し、無線親機２１を網制御装置に接続する構成であってもよい。この場合、無線親機２１は、網制御装置を接続する接続インタフェースを備え、接続インタフェースに接続された網制御装置を介してセンタ側と通信を行う構成とすればよい。
【００３０】
また、無線親機２１は、ガス、水道、電気などの使用量を計測するメータ２３を接続するための接続部を備えるものであってもよい。この場合、無線親機２１は、接続部に接続されたメータ２３から検針値を取得し、取得した検針値をセンタ側へ送信することが可能である。
【００３１】
図３は実施の形態１に係る無線子機２２の構成を説明するブロック図である。無線子機２２は、制御部２２０、記憶部２２１、狭域無線通信部２２２、メータＩＦ２２３、表示部２２４、操作部２２５、接続部２２６などを備える。無線子機２２が備えるハードウェア各部は、図に示していない電池から供給される電力により動作するように構成されている。
【００３２】
制御部２２０は、例えば、ＣＰＵ、ＲＯＭなどを備え、ＲＯＭに予め格納された制御プログラムをＣＰＵが実行することにより、機器全体を本発明に係る無線機として機能させる。また、制御部２２０は、計測開始指示を与えてから計測終了指示を与えるまでの経過時間を計測するタイマ、数をカウントするカウンタ等の機能を備えていてもよい。
【００３３】
記憶部２２１は、例えば、ＥＰＲＯＭなどの不揮発性メモリにより構成されており、自機の動作に関する設定情報、ペアリングした無線親機２１の識別子等を記憶する。
【００３４】
狭域無線通信部２２２は、アンテナ２２２ａを通じて電波を発信または受信することにより、縁組された無線親機２１との間で狭域無線網ＮＡ〜ＮＣの通信規格に準拠した通信方式にて無線通信を行う。無線子機２２及び無線親機２１間の無線通信として、例えば９２０ＭＨｚ帯の無線通信を用いることができる。
【００３５】
メータＩＦ２２３は、ガス、水道、電気などの使用量を計測するメータ２３を接続するためのインタフェースである。メータＩＦ２２３は、接続されたメータ２３から検針値を取得した場合、検針値を示す信号を制御部２２０へ送出する。
【００３６】
表示部２２４は、ＬＥＤランプ、液晶表示パネル等により構成されており、制御部２２０から出力される制御信号に基づいて、設置作業や保守作業を行う作業者等に通知すべき情報を表示する。
【００３７】
操作部２２５は、ディップスイッチ等の各種スイッチ、ボタンにより構成されており、例えば設置作業や保守作業を行う作業者等による各種の設定操作を受付ける。制御部２２０は、操作部２２５から入力される設定内容を基に各種制御を行い、必要に応じて設定内容を記憶部２２１に記憶させる。
【００３８】
接続部２２６は、無線子機２２が取得した情報を表示したり、無線子機２２に対する設定を受付けるための端末装置３０を接続するインタフェースを備える。端末装置３０は、有線により接続部２２６に接続されてもよく、無線により接続部２２６に接続されてもよい。無線子機２２は、端末装置３０に表示すべき情報を接続部２２６を通じて出力することにより、前記情報を端末装置３０に表示させることができる。また、無線子機２２は、接続部２２６を通じて入力された端末装置３０からの指示に基づき、自機に対する設定を行うことが可能である。
【００３９】
以下、狭域無線網ＮＡ〜ＮＣ内に新たに無線子機２２を設置する際のペアリングについて説明する。
図４は無線子機２２をペアリングする際の動作を説明するフローチャートである。無線子機２２を新たな設置場所に設置する場合、設置作業を行う作業者は、新たに設置する無線子機２２（以下、新規設置端末という）に対してペアリングの開始指示を与える。無線子機２２は、例えば操作部２２５を通じてペアリングの開始指示を受付けることが可能である。また、無線子機２２は、接続部２２６により接続された端末装置３０を通じてペアリングの開始指示を受け付けてもよい。
【００４０】
新規設置端末の制御部２２０は、例えば操作部２２５を通じてペアリングの開始指示を受付けた場合（ステップＳ１０１）、無線親機２１Ａ〜２１Ｃから送信されるビーコン信号に基づき、無線親機２１Ａ〜２１Ｃの情報を収集する情報収集モードに移行させる（ステップＳ１０２）。
【００４１】
無線親機２１Ａは、自機が他の無線機（例えば無線子機２２Ａ）から送信されるデータを受信可能である場合、送信すべきデータを有する他の無線機を探索するための探索信号としてビーコン信号を狭域無線通信部２１３から間欠的に送信する（ステップＳ１０３Ａ）。同様に、無線親機２１Ｂ，２１Ｃは、それぞれが他の無線機（例えば無線子機２２Ｂ，２２Ｃ）から送信されるデータを受信可能である場合、ビーコン信号を狭域無線通信部２１３から間欠的に送信する（ステップＳ１０３Ｂ，Ｓ１０３Ｃ）。
【００４２】
図５は無線親機２１Ａが送信するビーコン信号の一例を示す模式図である。無線親機２１Ａが送信するビーコン信号は、例えば、プリアンブル、同期ワード（SyncWord）、データ、及び巡回冗長符号（CRC : Cyclic Redundancy Code）により構成される。データには、信号の種別を示すコードである処理種別、メータ２３Ａを運用する事業者の管理番号である事業者情報、及び無線機固有の管理番号である識別子が含まれている。無線親機２１Ａが送信するビーコン信号に限らず、他の無線親機２１Ｂ，２１Ｃが送信するビーコン信号、無線子機２２Ａ〜２２Ｃが送信するビーコン信号についても同様である。  
【００４３】
新規設置端末の狭域無線通信部２２２は、予め設定された受信期間（例えば、情報収集モードに移行してから１分間）が経過するまでの間、無線親機２１Ａ〜２１Ｃから間欠的に送信されるビーコン信号を受信する都度、受信したビーコン信号の信号強度を測定し（ステップＳ１０４）、測定した信号強度に基づく情報、及びビーコン信号から得られる無線親機２１Ａ〜２１Ｃの情報を記憶部２２１に記憶させる。
【００４４】
新規設置端末の制御部２２０は、受信期間が経過した場合、狭域無線通信部２２２により測定された信号強度に基づき、自機と各無線親機２１Ａ〜２１Ｃとの間の通信環境の適否を判定する（ステップＳ１０５）。制御部２２０は、測定された信号強度のデータ群を統計的に解析することにより、通信環境の適否を判定することができる。
なお、制御部２２０は、ステップＳ１０５の判定結果を例えば表示部２２４に表示して、作業者に報知してもよい。また、新規設置端末が音声出力部を備える場合、音声により判定結果を報知してもよい。
【００４５】
図６は情報収集モードにて新規設置端末が収集した情報の一例を説明する説明図である。新規設置端末は、情報収集モードの受信期間において受信したビーコン信号に基づき、収集した無線親機２１Ａ〜２１Ｃの情報、及び受信したビーコン信号の信号強度に基づく情報を記憶部２２１に記憶させる。図６の例では、無線親機２１Ａ〜２１Ｃのそれぞれについて、事業者情報、無線親機２１Ａ〜２１Ｃの識別子、通信環境の適否、平均受信レベル、安定性を記憶部２２１に記憶させた状態を示している。
【００４６】
ここで、事業者情報、及び無線親機２１Ａ〜２１Ｃの識別子は、ビーコン信号にデータとして含まれる情報である。新規設置端末の制御部２２０は、ビーコン信号のデータからこれらの情報を抽出し、記憶部２２１に記憶させる。
【００４７】
平均受信レベルは、受信期間中に受信したビーコン信号の信号強度の平均値である。制御部２２０は、ビーコン信号の送信元毎に信号強度の平均値を算出し、算出した平均値を送信元（無線親機２１Ａ〜２１Ｃ）の識別子に関連付けて記憶部２２１に記憶させる。図６の例は、無線親機２１Ａ〜２１Ｃから受信したビーコン信号の平均受信レベルとして、−９１ｄＢｍ，−１０３ｄＢｍ，−８５ｄＢｍという数値を記憶させた状態を示している。
【００４８】
安定性は、新規設置端末にて受信したビーコン信号の安定性を表しており、信号強度のばらつきによって評価される。制御部２２０は、ビーコン信号の送信元毎に信号強度のばらつき（例えば標準偏差）を算出し、算出した信号強度のばらつきに基づいて安定性を評価し、評価結果を送信元（無線親機２１Ａ〜２１Ｃ）の識別子に関連つけて記憶部２２１に記憶させる。図６の例では、安定性を３段階に評価した状態を示しており、無線親機２１Ｃ，２１Ａ，２１Ｂの順に安定性が高く（ばらつきが小さく）なっていることを示している。
なお、制御部２２０が定める安定性は、無線親機２１Ａ〜２１Ｃ間で相対的に定めた評価であってもよく、ばらつきに対して予め定めた閾値との比較結果に応じて定めた絶対的な評価であってもよい。
【００４９】
通信環境は、新規設置端末と無線親機２１Ａ〜２１Ｃとの間の通信環境（主として新規設置端末における受信時の電波環境）の適否を表している。制御部２２０は、平均受信レベル及び安定性に基づき、通信環境の適否を判定する。図６に示した例では、無線親機２１Ｃから受信したビーコン信号の平均受信レベルは、他の無線親機２１Ａ，２１Ｂと比較して高く、安定性も高いので、制御部２２０は、新規設置端末と無線親機２１Ｃとの間の通信環境を最適と判定している。また、無線親機２１Ｂから受信したビーコン信号の平均受信レベルは、他の無線親機２１Ａ，２１Ｃと比較して低く、安定性も低いので、制御部２２０は、新規設置端末と無線親機２１Ｂとの間の通信環境を不適と判定している。無線親機２１Ａから受信したビーコン信号の平均受信レベル及び安定性は、無線親機２１Ｂのビーコン信号と比較して平均受信レベル及び安定性が高く、無線親機２１Ｃのビーコン信号と比較して平均受信レベル及び安定性が低いので、制御部２２０は、新規設置端末と無線親機２１Ａとの間の通信環境を適と判定している。
【００５０】
以下、図４に示すフローチャートのステップＳ１０５において、新規設置端末と無線親機２１Ｃとの間の通信環境が最適であると判定した場合の動作について説明する。
【００５１】
新規設置端末の制御部２２０は、ステップＳ１０５における適否判定の結果に基づき、ペアリング先を選択する（ステップＳ１０６）。ここでは、制御部２２０は、適否判定において最適と判定された無線親機２１（本実施の形態では無線親機２１Ｃ）を選択する。
【００５２】
次いで、制御部２２０は、ペアリング先として選択した無線親機２１Ｃに対して、ペアリング開始指示を狭域無線通信部２２２より送信する（ステップＳ１０７）。
【００５３】
無線親機２１Ｃは、新規設置端末から送信されるペアリング開始指示を狭域無線通信部２１３にて受信した場合、新規設置端末から送信されるペアリング要求を待ち受ける待機状態に移行する（ステップＳ１０８）。
【００５４】
新規設置端末は、ペアリング開始指示を無線親機２１Ｃへ送信した後、自端末の識別子を含むペアリング要求を無線親機２１Ｃへ送信する（ステップＳ１０９）。新規設置端末の識別子は、例えば製造番号等の新規設置端末に予め割り当てられている固有の識別子である。
【００５５】
無線親機２１Ｃは、新規設置端末から送信されるペアリング要求を受信した場合、受信したペアリング要求に含まれる新規設置端末の識別子を抽出し、抽出した識別子を、認証した通信相手の識別子として記憶部２１１に登録する（ステップＳ１１０）。また、無線親機２１Ｃは、自機の識別子を含むペアリング応答を新規設置端末へ返信する（ステップＳ１１１）。無線親機２１Ｃの識別子は、例えば製造番号等の無線親機２１Ｃに予め割り当てられている固有の識別子である。
【００５６】
新規設置端末は、無線親機２１Ｃから送信されるペアリング応答を受信した場合、受信したペアリング応答に含まれる無線親機２１Ｃの識別子を抽出し、抽出した識別子を、認証した通信相手の識別子として記憶部２２１に登録する（ステップＳ１１２）。
【００５７】
以上のペアリング動作により、新規設置端末と無線親機２１Ｃとの間で相互認証を行うことができる。相互認証に成功し、新規設置端末及び無線親機２１Ｃが互いの識別子を登録し合うことで、新規設置端末と無線親機２１Ｃとの間の無線通信が許可される。無線通信が許可された場合、新規設置端末は狭域無線網ＮＣ内の無線子機２２の１つとして機能し、例えば、自機に接続されたメータ２３からの検針値を取得した場合、取得した検針値を含むデータを無線親機２１Ｃ経由でセンタ側へ送信することが可能となる。
【００５８】
以上のように、実施の形態１では、新規設置端末側の操作により、新規設置端末と無線親機２１との間の通信環境の適否を判定し、最適と判定された無線親機２１（例えば無線親機２１Ｃ）との間でペアリング動作を自動的に実行することができる。実施の形態１では、新規設置端末の通信環境を評価してペアリング先が選択されるので、ペアリング後の運用時に通信エラーが多発する事態を回避することができる。
【００５９】
なお、図４に示すフローチャートでは、新規設置端末にてペアリング開始指示を受付けた場合、無線親機２１から間欠的に送信されるビーコン信号を待ち受ける受信待ちの状態に移行させる構成としたが、ペアリング開始指示を受付けた場合、制御部２２０の内蔵タイマを作動させ、所定時間（例えば５秒）の経過後に受信待ちの状態に移行させる構成としてもよい。所定時間が経過する前に、作業者は新規設置端末の設置場所から離れることができるので、運用時と同様の環境下でビーコン信号の信号強度を測定することができる。
【００６０】
また、本実施の形態では、新規設置端末のペアリング先を無線親機２１としたが、無線親機２１とペアリング済みの既存の無線子機２２をペアリング先として選択してもよい。例えば、新規設置端末は、前述と同様に、ペアリング開始指示を受付けた場合、無線親機２１又は既存の無線子機２２から送信されるビーコン信号を待ち受ける受信待ちの状態（情報収集モード）に移行し、受信期間中に受信したビーコン信号に基づき、無線親機２１又は既存の無線子機２２との間の通信環境の適否を判定してペアリング先を選択する。新規設置端末は、通信環境の適否判定により、ペアリング先として既存の無線子機２２を選択した場合、選択した無線子機２２との間でペアリング動作を行う。ペアリングによる相互認証後に、新規設置端末は、狭域無線網ＮＡ（ＮＢ，ＮＣ）内の一の無線子機２２として機能し、例えば、自機に接続されたメータ２３からの検針値を取得した場合、取得した検針値を含むデータをペアリング先の無線子機２２を経由してセンタ側へ送信することが可能となる。
【００６１】
（実施の形態２）
実施の形態１では、新規設置端末が選択したペアリング先とペアリング動作を行う構成について説明したが、新規設置端末の通信環境を可視化し、作業者により選択されたペアリング先とペアリング動作を行う構成としてもよい。
実施の形態２では、新規設置端末に接続された端末装置３０からペアリングの開始指示を与える構成について説明する。
なお、無線テレメータシステムの全体構成、無線親機２１及び無線子機２２の内部構成は、実施の形態１と同様であるため、その説明を省略することとする。
【００６２】
図７は端末装置３０の内部構成を示すブロック図である。端末装置３０は、制御部３００、記憶部３０１、表示部３０２、操作部３０３、接続部３０４などを備える。端末装置３０が備えるハードウェア各部は、図に示していない充電池から供給される電力により動作するように構成されている。
なお、端末装置３０は、スマートフォン、タブレット端末などの汎用の装置であってもよく、本実施の形態に係る無線テレメータシステムで用いられる専用の装置であってもよい。
【００６３】
制御部３００は、例えば、ＣＰＵ、ＲＯＭなどを備え、ＲＯＭに予め格納された制御プログラムをＣＰＵが実行することにより、機器全体を本発明に係る端末装置として機能させる。また、制御部３００は、計測開始指示を与えてから計測終了指示を与えるまでの経過時間を計測するタイマ、数をカウントするカウンタ等の機能を備えていてもよい。
【００６４】
表示部３０２は、液晶表示パネル等により構成されており、制御部３００から出力される制御信号に基づいて、無線親機２１及び無線子機２２の設置作業や保守作業を行う作業者等に通知すべき情報を表示する。
【００６５】
操作部３０３は、各種スイッチ、ボタンなどにより構成されており、無線親機２１及び無線子機２２の設置作業や保守作業を行う作業者等による各種操作を受付ける。操作部３０３は、ハードウェアスイッチに限らず、タッチパネルにより構成されたソフトウェアスイッチを備えるものであってもよい。
【００６６】
接続部３０４は、無線親機２１又は無線子機２２に接続に自装置を接続するためのインタフェースを備える。端末装置３０は、有線により無線親機２１又は無線子機２２に接続されてもよく、無線により無線親機２１又は無線子機２２に接続されてもよい。
【００６７】
以下、狭域無線網ＮＡ〜ＮＣ内に新たに無線子機２２を設置する際のペアリングについて説明する。
図８は無線子機２２をペアリングする際の動作を説明するフローチャートである。無線子機２２を新たな設置場所に設置する場合、設置作業を行う作業者は、新たに設置する無線子機２２（以下、新規設置端末という）の接続部２２６に端末装置３０を接続し、接続した端末装置３０の操作部３０３を通じてペアリングの開始指示を与える。端末装置３０の制御部３００は、操作部３０３を通じてペアリングの開始指示を受付けた場合、新規設置端末に対し、親機情報の取得要求を送信する（ステップＳ２０１）。
【００６８】
新規設置端末の制御部２２０は、接続部２２６を通じて親機情報の取得要求を受信した場合、無線親機２１Ａ〜２１Ｃから送信されるビーコン信号に基づき、無線親機２１Ａ〜２１Ｃの情報を収集する情報収集モードに移行させる（ステップＳ２０２）。
【００６９】
無線親機２１Ａは、自機が他の無線機（例えば無線子機２２Ａ）から送信されるデータを受信可能である場合、ビーコン信号を狭域無線通信部２１３から間欠的に送信する（ステップＳ２０３Ａ）。同様に、無線親機２１Ｂ，２１Ｃは、それぞれが他の無線機（例えば無線子機２２Ｂ，２２Ｃ）から送信されるデータを受信可能である場合、ビーコン信号を狭域無線通信部２１３から間欠的に送信する（ステップＳ２０３Ｂ，Ｓ２０３Ｃ）。このとき、無線親機２１Ａ（２１Ｂ，２１Ｃ）が送信するビーコン信号には、上述した処理種別、事業者情報、無線親機２１Ａの識別子の他、無線親機２１Ａに接続可能な無線子機２２の台数（収容台数）、無線チャンネル、動作モード、電池残量等の情報が含まれていてもよい。
【００７０】
新規設置端末の制御部２２０は、受信期間が経過するまでの間、信号強度を測定し（ステップＳ２０４）、受信期間が経過した後、狭域無線通信部２２２により測定された信号強度に基づき、自機と各無線親機２１Ａ〜２１Ｃとの間の通信環境の適否を判定する（ステップＳ２０５）。制御部２２０は、実施の形態１と同様に、測定された信号強度のデータ群を統計的に解析することにより、通信環境の適否を判定することができる。通信環境の適否判定の後、制御部２２０は、通信環境の適否の情報を含む親機情報を接続部２２６より端末装置３０へ送信する（ステップＳ２０６）。
【００７１】
端末装置３０の制御部３００は、新規設置端末から受信した親機情報を表示部３０２に表示させる（ステップＳ２０７）。図９は親機情報の表示例を示す模式図である。図９の例では、無線親機２１Ａ〜２１Ｃのそれぞれについて、事業者情報、無線親機２１Ａ〜２１Ｃの識別子、通信環境の適否、平均受信レベル、安定性を表示部３０２に表示した状態を示している。また、表示画面には、作業者の操作を受付けるソフトウェアボタンが配置されている。具体的には、親機情報の更新を要求する情報更新ボタン３１１、ペアリングを要求するペアリングボタン３１２、ペアリングした無線親機２１を経由してセンタ側への発呼を要求する開通ボタン３１３、無線親機２１の詳細情報を表示する詳細ボタン３１４、及びペアリング先の無線親機２１を選択するためのボタンが配置された選択ボタン群３１５を備える。
【００７２】
情報更新ボタン３１１が作業者により押下操作された場合、端末装置３０は、親機情報の取得要求を新規設置端末へ再度送信し、新規設置端末から返信される親機情報に基づき、表示中の情報を更新する。ペアリングボタン３１２が作業者により押下操作された場合、端末装置３０は、選択ボタン群３１５によって選択されたペアリング先に対してペアリング要求を行うように、新規設置端末に対して指示する。開通ボタン３１３が作業者により押下操作された場合、端末装置３０は、ペアリングした無線親機２１を経由してセンタ側へ発呼することを新規設置端末に要求する。
【００７３】
詳細ボタン３１４が作業者により押下操作された場合、端末装置３０は、選択ボタン群３１５によって選択された無線親機２１の詳細情報を表示部３０２に表示させる。図１０は詳細情報の表示例を示す模式図である。図１０の例では、無線親機２１Ｃの詳細情報として、事業者情報、無線親機２１Ｃの識別子、収容台数、無線チャンネル（無線ＣＨ）、動作モード、電池残量を表示部３０２に表示した状態を示している。作業者は、無線親機２１との通信環境だけでなく、無線親機２１の詳細情報を考慮して、新規設置端末がペアリングすべき相手を選択することが可能となる。
【００７４】
なお、図１０に示す表示画面には、情報更新ボタン３２１及びキャンセルボタン３２２が配置されている。情報更新ボタン３１１が作業者により押下操作された場合、端末装置３０は、親機情報の取得要求を新規設置端末へ再度送信し、新規設置端末から返信される親機情報に基づき、表示中の情報を更新する。また、キャンセルボタン３２２が押下操作された場合、端末装置３０は、図９に示す画面を表示部３０２に表示する。
【００７５】
以下、図８に示すフローチャートのステップＳ２０７において親機情報を表示した後、選択ボタン群３１５よりペアリングすべき相手が選択され、ペアリングボタン３１２が作業者により押下操作された場合の動作について説明する。
【００７６】
ペアリングボタン３１２が押下操作された場合、選択ボタン群３１５により選択されたペアリング相手（例えば無線親機２１Ｃ）に対し、端末装置３０の制御部３００は、ペアリング要求を接続部３０４より新規設置端末へ送信する（ステップＳ２０８）。
【００７７】
新規設置端末は、端末装置３０から受信したペアリング要求を受信した場合、ペアリング先として選択された無線親機２１Ｃに対して、ペアリング開始指示を狭域無線通信部２２２より送信する（ステップＳ２０９）。
【００７８】
無線親機２１Ｃは、新規設置端末から送信されるペアリング開始指示を狭域無線通信部２１３にて受信した場合、新規設置端末から送信されるペアリング要求を待ち受ける待機状態に移行する（ステップＳ２１０）。
【００７９】
新規設置端末は、ペアリング開始指示を無線親機２１Ｃへ送信した後、自端末の識別子を含むペアリング要求を無線親機２１Ｃへ送信する（ステップＳ２１１）。
【００８０】
無線親機２１Ｃは、新規設置端末から送信されるペアリング要求を受信した場合、受信したペアリング要求に含まれる新規設置端末の識別子を抽出し、抽出した識別子を、認証した通信相手の識別子として記憶部２１１に登録する（ステップＳ２１１）。また、無線親機２１Ｃは、自機の識別子を含むペアリング応答を新規設置端末へ返信する（ステップＳ２１２）。
【００８１】
新規設置端末は、無線親機２１Ｃから送信されるペアリング応答を受信した場合、受信したペアリング応答に含まれる無線親機２１Ｃの識別子を抽出し、抽出した識別子を、認証した通信相手の識別子として記憶部２２１に登録する（ステップＳ２１３）。
【００８２】
以上のペアリング動作により、新規設置端末と無線親機２１Ｃとの間で相互認証を行うことができる。相互認証に成功し、新規設置端末及び無線親機２１Ｃが互いの識別子を登録し合うことで、新規設置端末と無線親機２１Ｃとの間の無線通信が許可される。無線通信が許可された場合、新規設置端末は狭域無線網ＮＣ内の無線子機２２の１つとして機能し、例えば、自機に接続されたメータ２３からの検針値を取得した場合、取得した検針値を含むデータを無線親機２１Ｃ経由でセンタ側へ送信することが可能となる。
【００８３】
以上のように、実施の形態２では、端末装置３０の操作により、新規設置端末と無線親機２１との間の通信環境の適否、新規設置端末のペアリング先となり得る無線親機２１の情報に基づき、新規設置端末のペアリングを選択することができる。実施の形態２では、新規設置端末の通信環境を評価してペアリング先が選択されるので、ペアリング後の運用時に通信エラーが多発する事態を回避することができる。
【００８４】
（実施の形態３）
実施の形態２では、新規設置端末が収集した全ての無線親機２１Ａ〜２１Ｃの情報を端末装置３０の表示部３０２に表示する構成としたが、表示条件を受付け、表示条件に適合する情報を表示部３０２に表示する構成としてもよい。
実施の形態３では、端末装置３０にて無線親機２１Ａ〜２１Ｃの情報を表示する際の表示条件を受付け、受付けた表示条件に適合する情報を表示する構成について説明する。
なお、無線テレメータシステムの全体構成、無線親機２１及び無線子機２２の内部構成は、実施の形態１と同様であるため、その説明を省略することとする。
【００８５】
図１１は実施の形態３に係る親機情報の表示例を示す模式図である。図１１の例では、無線親機２１Ａ〜２１Ｃのそれぞれについて、事業者情報、無線親機２１Ａ〜２１Ｃの識別子、通信環境の適否、平均受信レベル、安定性を端末装置３０の表示部３０２に表示した状態を示している。また、表示画面には、作業者の操作を受付けるソフトウェアボタンが配置されている。具体的には、前述した情報更新ボタン３１１、ペアリングボタン３１２、開通ボタン３１３、詳細ボタン３１４、選択ボタン群３１５に加え、フィルタリングボタン３１６を備える。フィルタリングボタン３１６が押下操作された場合、端末装置３０は、図１１に示す表示画面に代えて、表示条件を受付けるためのフィルタリング画面を表示部３０２に表示する。
【００８６】
図１２はフィルタリング画面の一例を示す模式図である。図１２に示すフィルタリング画面では、事業者名、及び平均受信レベルの最小値又は最大値を表示条件として受付ける。事業者名選択欄３３１は、例えばプルダウン形式のメニューとなっており、新規設置端末が収集した事業者情報（例えば「Ａ社」〜「Ｃ社」）のうち、一の事業者を選択できるように構成されている。また、平均受信レベルの最小値入力欄３３２には、表示させるべき最小の平均受信レベルが入力され、最大値入力欄３３３には、表示させるべき最大の平均受信レベルが入力されるように構成されている。なお、図１２に示した例では、各表示条件のうち、平均受信レベルの最小値（−９５ｄＢｍ）のみが入力された状態を示している。
【００８７】
また、フィルタリング画面の下部には実行ボタン３３４、及びキャンセルボタン３３５が配置されている。実行ボタン３３４が押下操作された場合、端末装置３０の制御部３００は、新規設置端末が収集した親機情報のうち、事業者名選択欄３３１、最小値入力欄３３２、及び最大値入力欄３３３にて設定された表示条件に適合する親機情報を抽出し、抽出した親機情報を表示部３０２に表示させる。キャンセルボタン３３５が押下操作された場合、制御部３００は、フィルタリングを実行することなく、元の画面（例えば図１１に示す画面）を表示部３０２に表示させる。
【００８８】
図１３はフィルタリング後の親機情報の表示例を示す模式図である。フィルタリング後の表示画面には、作業者により入力された表示条件に適合する親機情報が表示される。例えば、図１２のフィルタリング画面において、平均受信レベルの最小値を−９５ｄＢｍとした場合、平均受信レベルが−９５ｄＢｍ以上となる無線親機２１（例えば識別子「Ａ」の無線親機２１Ａ及び識別子「Ｃ」の無線親機２１Ｃ）の情報が抽出されて表示部３０２に表示される。
【００８９】
以上のように、実施の形態３では、端末装置３０の表示部３０２に表示させる親機情報をフィルタリングすることができるので、複数の親機情報が表示されている場合であっても、接続すべき無線親機２１を容易に特定することができる。
【００９０】
なお、本実施の形態では、事業者名、及び平均受信レベルの最小値又は最大値を表示条件として受付ける構成としたが、通信環境の良否、無線通信の安定性などの他の指標を表示条件として受け付けても良いことは勿論のことである。
【００９１】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００９２】
以上の実施の形態に関し、更に以下の付記を開示する。
【００９３】
本発明の一態様に係る無線テレメータシステムは、メータ（２３）から取得した計測値を含むデータを送受信する複数の無線機（２１，２２）を備え、各無線機（２２）は、送信すべきデータを有する無線機を探索するための探索信号を他の無線機（２１）から受信した場合であって、前記他の無線機（２１）へ送信すべきデータを有する場合、前記他の無線機（２１）へ前記データを送信する無線テレメータシステムにおいて、各無線機（２２）は、設定された期間内に受信した１又は複数の他の無線機（２１）からの探索信号に基づき、前記１又は複数の他の無線機（２２）に係る情報を収集する情報収集部（２２２）を備えることを特徴とする。
【００９４】
上記一態様では、無線機を新たに設置する際に、周辺に存在する他の無線機の情報を収集することができ、収集した情報に基づき、接続先とすべき他の無線機を決定することができる。
【００９５】
本発明の一態様に係る無線テレメータシステムは、各無線機（２２）は、前記期間内に受信した探索信号の信号強度を計測する計測部（２２２）と、該計測部（２２２）により計測した信号強度に基づき、自機と前記１又は複数の他の無線機（２１）との間の通信環境の適否を判定する判定部（２２０）とを備えることを特徴とする。
【００９６】
上記一態様では、無線機を新たに設置する際に、周辺に存在する他の無線機から送信される探索信号の信号強度に基づき、他の無線機との通信環境の適否を判定するので、通信環境が良好な無線機と接続することができる。
【００９７】
本発明の一態様に係る無線テレメータシステムは、各無線機（２２）は、前記判定部（２２０）による判定結果に基づいて、前記データの送信先とすべき一の無線機（２１）を選択する選択部（２２０）と、選択した前記一の無線機（２１）との間で互いに通信相手を認証するための認証処理を実行する認証処理部（２２０）と、前記認証処理により認証した前記一の無線機（２１）の情報を登録する登録部（２２１）とを備え、自機が送信すべきデータを有する場合であって、前記登録部（２２１）に登録した前記一の無線機（２１）からの探索信号を受信した場合に、前記一の無線機（２１）へ前記データを送信することを特徴とする。
【００９８】
上記一態様では、無線機を新たに設置する際、接続先の他の無線機を操作することなく、両者を自動的にペアリングさせることが可能となる。
【００９９】
本発明の一態様に係る無線テレメータシステムは、各無線機（２２）に通信可能に接続される端末装置（３０）を更に備え、前記端末装置（３０）は、前記情報収集部（２２２）により収集された前記１又は複数の他の無線機（２１）に係る情報を、自機が接続された無線機（２２）から取得する取得部（３０４）と、取得した情報を表示する表示部（２２４）と、前記無線機（２２）がデータを送信すべき一の送信先に係る選択を受付ける受付部（２２５）と、該受付部（２２５）により受付けた選択に基づき、前記無線機（２２）と前記一の送信先との間で互いに通信相手を認証するための認証処理を前記無線機（２２）に要求する指示を送信する指示送信部（３０４）とを備え、前記無線機（２２）は、前記指示送信部（３０４）から送信された指示を受信する受信部（２２６）と、受信した指示に基づき、前記一の送信先との間で互いに通信相手を認証するための認証処理を実行する認証処理部（２２０）と、前記認証処理により認証した前記一の送信先に係る無線機（２１）の情報を登録する登録部（２２１）とを備え、前記無線機（２２）は、自機が送信すべきデータを有する場合であって、前記登録部（２２１）に登録した前記一の送信先に係る無線機（２１）からの探索信号を受信した場合に、前記無線機（２２）へデータを送信することを特徴とする。
【０１００】
上記一態様では、新たに設置した無線機の周辺に存在する他の無線機の情報を収集し、端末装置の表示部に表示させることができるので、通信環境が良好となる他の無線機を選択し、新たに設置した無線機と選択した無線機との間でペアリングさせることが可能となる。
【０１０１】
本発明の一態様に係る無線テレメータシステムは、前記端末装置（３０）は、前記表示部（３０２）に表示する情報に対する条件を受付ける条件受付部（３０３）を備え、前記条件受付部（３０３）にて受付けた条件に適合する情報を前記表示部（３０２）に表示する。
【０１０２】
上記一態様では、条件により表示させる無線機の情報を絞り込むことができるので、新たに設置した無線機の接続先を容易に特定することができる。
【０１０３】
本発明の一態様に係る無線テレメータシステムは、前記探索信号は、該探索信号の送信元の無線機を識別する識別子、及び前記メータを運用する事業者コードを含み、前記情報収集部が収集する情報は、前記探索信号に含まれる前記識別子及び前記事業者コードを含むことを特徴とする。
【０１０４】
上記一態様では、新たに設置した無線機が収集する情報には、他の無線機の識別子、及び事業者コードが含まれるので、接続先を適切に選択することができる。
【０１０５】
本発明の一態様に係る無線機は、メータ（２３）から取得した計測値を含むデータを送受信する他の無線機（２１）と通信可能であり、送信すべきデータを有する無線機を探索するための探索信号を前記他の無線機（２１）から受信した場合であって、前記他の無線機（２１）へ送信すべきデータを有する場合、前記他の無線機（２１）へ前記データを送信する無線機（２２）において、設定された期間内に受信した１又は複数の他の無線機（２１）からの探索信号に基づき、前記１又は複数の他の無線機（２１）に係る情報を収集する情報収集部（２２２）を備えることを特徴とする。
【０１０６】
上記一態様では、無線機を新たに設置する際に、周辺に存在する他の無線機の情報を収集することができ、収集した情報に基づき、接続先とすべき他の無線機を決定することができる。
【０１０７】
本発明の一態様に係る情報収集方法は、メータ（２３）から取得した計測値を含むデータを送受信する複数の無線機（２１，２２）を備えた無線テレメータシステムにおける情報収集方法において、各無線機（２２）は、送信すべきデータを有する無線機を探索するための探索信号を他の無線機（２１）から受信し、設定した期間内に受信した１又は複数の他の無線機（２１）からの探索信号に基づき、前記１又は複数の他の無線機（２１）に係る情報を収集することを特徴とする。
【０１０８】
上記一態様では、無線機を新たに設置する際に、周辺に存在する他の無線機の情報を収集することができ、収集した情報に基づき、接続先とすべき他の無線機を決定することができる。
【符号の説明】
【０１０９】
１１  ホストコンピュータ
１２  センタ側網制御装置
２１  無線親機
２２  無線子機
２３  メータ
３０  端末装置
２１０  制御部
２１１  記憶部
２１２  広域無線通信部
２１３  狭域無線通信部
２１４  表示部
２１５  操作部
２１６  接続部
２２０  制御部（判定部，選択部，認証処理部）
２２１  記憶部（登録部）
２２２  狭域無線通信部（情報収集部，計測部）
２２３  メータＩＦ
２２４  表示部
２２５  操作部
２２６  接続部
３００  制御部
３０１  記憶部
３０２  表示部
３０３  操作部（受付部）
３０４  接続部（取得部，指示送信部）
Ｎ  広域無線網
ＮＡ〜ＮＣ  狭域無線網
【図１】
2018139395.tif 000003
【図２】
2018139395.tif 000004
【図３】
2018139395.tif 000005
【図４】
2018139395.tif 000006
【図５】
2018139395.tif 000007
【図６】
2018139395.tif 000008
【図７】
2018139395.tif 000009
【図８】
2018139395.tif 000010
【図９】
2018139395.tif 000011
【図１０】
2018139395.tif 000012
【図１１】
2018139395.tif 000013
【図１２】
2018139395.tif 000014
【図１３】
2018139395.tif 000015